【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
乗物内の座席アセンブリのように列を成して配置するための座席アセンブリであって、
前記座席アセンブリは、
座席と、
前記乗物の床上に前記座席を支持するための支持構造と、
を備え、
前記座席は、側方を有し、
後端部を有する座面部と、
前面と、下端部を有する底部と、を有する背もたれと、
を備え、
前記座面部の前記後端部及び前記背もたれの前記下端部は、後ろの列に着座する乗客の膝を収容するために、凹部が前記座席の前記側方に形成されるように、前記座席の前記側方で前方に延出し、
前記背もたれは、直立した第１位置と、リクライニングした第２位置との間で、前記支持構造に対して、前記支持構造上の軸位置周りに傾斜可能であり、前記軸位置は、前記背もたれの前記底部の上方、且つ、前記背もたれの前記前面の少なくとも一部より前方に配置される座席アセンブリ。
【請求項２】
乗物内の座席アセンブリのように列を成して配置するための座席アセンブリであって、
前記座席アセンブリは、
座席と、
前記乗物の床上に前記座席を支持するための支持構造と、
を備え、
前記座席は、側方を有し、
後端部を有する座面部と、
前面と、下端部を有する底部と、を有する背もたれと、
を備え、
前記座面部の前記後端部及び前記背もたれの前記下端部は、後ろの列の座席の座面の上下間の範囲において、凹部が各座席の後部側面に形成されるように、前記座席の前記側方で前方に延出し、
前記背もたれは、直立した第１位置と、リクライニングした第２位置との間で、前記支持構造に対して、前記支持構造上の軸位置周りに傾斜可能であり、前記軸位置は、前記背もたれの前記底部の上方、且つ、前記背もたれの前記前面の少なくとも一部より前方に配置される座席アセンブリ。
【請求項３】
乗物内の座席アセンブリのように列を成して配置するための座席アセンブリであって、
前記座席アセンブリは、
前部と、乗物の床上に座席を支持するための支持構造と、を有する前記座席を備え、
前記座席は、
後端部を有する座面部と、
底部を有する背もたれと、
を備え、
前記背もたれの前記底部の側端部、及び、前記座面部の前記後端部の側方が、前記座席の前記前部に向かう方向に湾曲されることにより、前記背もたれの側方において、後ろの座席の乗客のために膝のスペースをより広く確保することができ、
前記背もたれは、直立した第１位置と、リクライニングした第２位置との間で、前記支持構造に対して、前記支持構造上の軸位置周りに傾斜可能であり、前記軸位置は、前記背もたれの前記側端部、且つ、前記背もたれの前記底部の上方に配置される座席アセンブリ。
【請求項４】
請求項１〜３の何れか１項に記載の座席アセンブリであって、
前記軸位置は、着座した乗客の、前記乗物の前記床からの膝の高さと少なくともほぼ等しい高さに配置される座席アセンブリ。
【請求項５】
請求項４に記載の座席アセンブリであって、
前記軸位置は、成人を母集団とした膝の中央の高さの少なくとも９５パーセンタイル値とほぼ等しい高さになるように配置される座席アセンブリ。
【請求項６】
請求項４または５に記載の座席アセンブリであって、
前記軸位置は、床から約５４２ｍｍと約５９１ｍｍとの間の高さになるように配置される座席アセンブリ。
【請求項７】
請求項１〜６の何れか１項に記載の座席アセンブリであって、
前記座面部の前記後部、及び、前記座面部に近接する前記背もたれの前記後部は、対応する凸形状を有する座席アセンブリ。
【請求項８】
請求項１または２に記載の座席アセンブリであって、
前記背もたれの前記底部は側端部を有し、前記座面部の前記後端部は側方を有し、前記背もたれの前記底部の前記側端部、及び、前記座面部の前記後端部の前記側方が、前記座席の前記前部に向かう方向に湾曲される座席アセンブリ。
【請求項９】
請求項１〜８の何れか１項に記載の座席アセンブリであって、
前記座面部は、前記背もたれの前記第１位置に対応する第１位置と、前記背もたれの前記第２位置に対応する第２位置との間で、前記背もたれと共に運動可能であり、
前記座面部は、前記第２位置において、前記支持構造に対して前方に平行移動される座席アセンブリ。
【請求項１０】
請求項１〜９の何れか１項に記載の座席アセンブリであって、
前記座席は、前記座面部及び前記背もたれの傾斜運動により、前記座席の直立位置とリクライニング位置との間で運動可能であり、
前記座面部の前記傾斜運動は、前記座面部の前記前部を上方に移動させ、
前記背もたれの前記傾斜運動は、前記背もたれの頂部を後方に移動させ、
前記背もたれの前記傾斜運動の角度は、前記座面部の前記傾斜運動の角度の約３．２倍に等しい座席アセンブリ。
【請求項１１】
請求項１〜１０の何れか１項に記載の座席アセンブリであって、
前記背もたれは、直立位置とリクライニング位置との間で運動可能であり、
前記座面部は、可動要素を有し、
前記可動要素の運動により、前記座面部の後部における前記座面部の厚さに対する、前記座面部の前部における前記座面部の厚さを調節する座席アセンブリ。
【請求項１２】
請求項１〜１１の何れか１項に記載の座席アセンブリであって、
前記背もたれは、成形剛性フレーム部材と、弾性クッション部材と、を備え、
前記クッション部材は、前記剛性フレーム部材の前面側にのみ装着される座席アセンブリ。
【請求項１３】
請求項１〜１２の何れか１項に記載の座席アセンブリであって、
前記座面部の前記後部に支柱がない座席アセンブリ。
【請求項１４】
請求項１〜１３の何れか１項に記載の座席アセンブリであって、
前記支持構造は、
前記座席の横方向に延出する、細長い第１支柱と、
前記支柱に取り付けられる、少なくとも１つの座席脚アセンブリと、
を少なくとも備え、
前記脚アセンブリは、
当該支持構造を乗物に取り付けるために、前記乗物の床に近接するように配置される足部と、
前記座席への取り付けのために、前記座席の下面に近接するように配置される座席支持部と、
前記座席支持部と前記足部との間に延出する中間部と、
を備え、
前記支柱と、前記脚アセンブリまたは各前記脚アセンブリの前記中間部とが、使用の際、各座席の前部の下方のみに配置されるように構成された座席アセンブリ。
【請求項１５】
請求項１４に記載の座席アセンブリであって、
前記支持構造は、少なくとも２つの前記脚アセンブリを備える座席アセンブリ。
【請求項１６】
請求項１４または１５に記載の座席アセンブリであって、
前記支持構造は、
前記第１支柱と、
第２支柱と、
を備え、
前記第１支柱は、前記脚アセンブリまたは各前記脚アセンブリの前記足部に、あるいは前記足部に近接して取り付けられ、
前記第２支柱は、前記脚アセンブリまたは各前記脚アセンブリの前記座席支持部に、あるいは前記座席支持部に近接して取り付けられる座席アセンブリ。
【請求項１７】
請求項１６に記載の座席アセンブリであって、
前記第１支柱は、前記第２支柱の後方に配置される座席アセンブリ。
【請求項１８】
請求項１７に記載の座席アセンブリであって、
前記脚アセンブリまたは各前記脚アセンブリは、
第１要素と、
第２要素と、
を備え、
前記第１要素は、
前記足部と、
前記第１支柱及び前記第２支柱に取り付けられると共に、前記脚アセンブリの前記中間部の一部を形成する上方延出部と、
を備え、
前記第２要素は、
前記座席支持部と、
前記第１支柱及び前記第２支柱に取り付けられると共に、前記脚アセンブリの前記中間部のさらなる一部を形成する下方延出部と、
を備える座席アセンブリ。
【請求項１９】
請求項１８に記載の座席アセンブリであって、
前記脚アセンブリまたは各前記脚アセンブリの、前記第１要素は、前記脚アセンブリまたは前記脚アセンブリそれぞれの、前記第２要素から横方向に間隔をあけて配置される座席アセンブリ。
【請求項２０】
請求項１７または１８に記載の座席アセンブリであって、
前記第２要素の前記座席支持部は、前記座面部及び前記背もたれの前記側端部の少なくとも一部に沿って延出するように配置される座席アセンブリ。